(57)【要約】【課題】眼鏡装用者にとってより快適な眼鏡レンズを選択する眼鏡レンズ選択システム、および眼鏡レンズ選択方法を提供すること。【解決手段】眼鏡レンズ選択システム１は、メーカー側端末１００と、眼鏡店等に設置され、メーカー側端末１００にインターネット２を介して接続された複数の店側端末２００と、を備えている。眼鏡レンズ選択システム１は、眼鏡店等で測定された眼球下転量および側方視量を含む各種パラメーターを店側端末２００からメーカー側端末１００に送信し、メーカー側端末１００は受信した各種パラメーターを解析して最適な累進屈折力レンズを選択し、その結果を店側端末２００に送信するシステムである。【選択図】図３
2011227173.tif 000002
【特許請求の範囲】
【請求項１】
眼鏡店等に設置された店側端末と、レンズメーカー側に設置されたメーカー側端末とがネットワークを介して接続された眼鏡レンズ選択システムであって、
前記メーカー側端末は、
累進屈折力レンズの製品の特性を表すプロファイルを製品ごとに関連付けて記憶するプロファイル記憶手段と、
前記店側端末から受信した眼鏡装用者の眼球下転量および側方視量を含む装用状態パラメーターに基づいて前記プロファイル記憶手段から最適な製品を選択するレンズ選択手段と、
前記選択された製品に関する情報を前記プロファイル記憶手段から取得し、解析結果として前記店側端末に送信する解析結果送信手段と、を備え、
前記店側端末は、
前記眼鏡装用者に関する顧客情報と、前記眼球下転量および側方視量を含む装用状態パラメーターとを入力可能な入力手段と、
前記入力された顧客情報、眼球下転量および側方視量を含む装用状態パラメーターを前記メーカー側端末へ送信するデータ送信手段と、
前記解析結果を前記メーカー側端末から取得し、この解析結果を出力させる解析結果処理手段と、を備えた
ことを特徴とする眼鏡レンズ選択システム。
【請求項２】
請求項１に記載の眼鏡レンズ選択システムにおいて、
前記店側端末は、前記解析結果に基づいて前記選択された製品を装用した場合の装用者の見え方をシミュレートし、その結果を出力させるシミュレート手段をさらに備えた
ことを特徴とする眼鏡レンズ選択システム。
【請求項３】
眼鏡店等に設置された店側端末と、レンズメーカー側に設置されたメーカー側端末とがネットワークを介して接続された眼鏡レンズ選択システムで実施される眼鏡レンズ選択方法であって、
前記メーカー側端末は、眼鏡レンズの製品の特性を表すプロファイルを製品ごとに関連付けて記憶するプロファイル記憶手段を備え、
前記店側端末は、
前記眼鏡装用者に関する顧客情報と、前記眼球下転量および側方視量を含む装用状態パラメーターとを入力させ、
前記顧客情報と、前記眼球下転量および側方視量を含む装用状態パラメーターを前記メーカー側端末へ送信し、
前記メーカー側端末は、
前記店側端末から前記顧客情報および前記眼球下転量および側方視量を含む装用状態パラメーターを受信し、
前記眼球下転量および側方視量を含む装用状態パラメーターに基づいて前記プロファイル記憶手段から最適な製品を選択し、
前記選択された製品に関する情報を前記プロファイル記憶手段から取得し、解析結果として前記店側端末に送信する
ことを特徴とする眼鏡レンズ選択方法。
【発明の詳細な説明】
【技術分野】
【０００１】
本発明は、個々人に最適な眼鏡レンズを選択する眼鏡レンズ選択システム、および眼鏡レンズ選択方法に関する。
【背景技術】
【０００２】
眼鏡レンズには単焦点レンズの他に累進屈折力レンズがある。累進屈折力レンズは、その上方に遠方視に対応する屈折力（度数）を持つ遠用部領域を有し、その下方に近方視に対応する屈折力を持つ近用部領域を有している。また、遠用部領域と近用部領域の中間には連続的に屈折力の変化する累進帯と、累進帯の側方に設けられた「側方部」または「周辺部」と呼ばれる領域と、を有している。このように、累進屈折力レンズは、レンズ上の見る位置によって屈折力が異なるため、レンズ設計を行う際には個々人の眼球下転量および側方視量が重要となる。ここで、眼球下転量とは、眼鏡装用者が自然な状態で遠方視したときのレンズ上の視線が通過する位置から近方視したときのレンズ上の視線が通過する位置までの鉛直方向の距離である。また、側方視量とは、眼鏡装用者が遠方視したときのレンズ上の視線が通過する位置から、側方視したときのレンズ上の視線が通過する位置までの水平方向の距離である。
【０００３】
眼鏡装用者に対して眼鏡調整を行う場合、眼鏡情報（検眼情報、眼鏡フレーム情報、眼鏡レンズ情報）を各個体（顔の形や大きさ、首の太さ、姿勢、鼻、耳、眼の相対位置や形等）に適合させる工学的フィッティングを実施する。また、累進屈折力レンズの場合は、工学的フィッティング以外にも、眼球下転量や側方視量の測定、および個々の使用目的（遠近重視、中近重視、近々重視、フルタイム使用、パートタイム使用、静的使用、動的使用など）に合わせる光学的フィッティングが行われる。
【０００４】
従来、このようなフィッティングにより得られる眼鏡装用パラメーターに基づいて眼鏡を供給するシステムが提案されている（例えば、特許文献１）。
特許文献１では、眼鏡装用パラメーター測定装置によって測定された眼鏡装用パラメーターを発注側コンピューターから製造側コンピューターに送信し、製造側コンピューターは、受信した眼鏡装用パラメーターに基づいて眼鏡レンズの光学設計を行い、その設計値に基づいて眼鏡レンズを製造している。
【先行技術文献】
【特許文献】
【０００５】
【特許文献１】国際公開第２００５／０９２１７３号
【発明の概要】
【発明が解決しようとする課題】
【０００６】
しかしながら、特許文献１では、眼鏡調整に必要な眼鏡装用パラメーターは、遠方視瞳孔間距離、近方視瞳孔間距離、遠方視眼鏡装用距離、近方視眼鏡装用距離、眼鏡フレーム装用角度、眼球回旋角、近方視目的距離となっており、累進屈折力レンズの光学設計に必要な眼球下転量および側方視量が含まれていない。このため、特許文献１に記載のシステムでは、累進屈折力レンズを使用する眼鏡装用者に最適な眼鏡レンズを設計することは難しい。
【０００７】
本発明の目的は、眼鏡装用者にとってより快適な眼鏡レンズを選択する眼鏡レンズ選択システム、および眼鏡レンズ選択方法を提供することである。
【課題を解決するための手段】
【０００８】
本発明の眼鏡レンズ選択システムは、眼鏡店等に設置された店側端末と、レンズメーカー側に設置されたメーカー側端末とがネットワークを介して接続された眼鏡レンズ選択システムであって、前記メーカー側端末は、累進屈折力レンズの製品の特性を表すプロファイルを製品ごとに関連付けて記憶するプロファイル記憶手段と、前記店側端末から受信した眼鏡装用者の眼球下転量および側方視量を含む装用状態パラメーターに基づいて前記プロファイル記憶手段から最適な製品を選択するレンズ選択手段と、前記選択された製品に関する情報を前記プロファイル記憶手段から取得し、解析結果として前記店側端末に送信する解析結果送信手段と、を備え、前記店側端末は、前記眼鏡装用者に関する顧客情報と、前記眼球下転量および側方視量を含む装用状態パラメーターとを入力可能な入力手段と、前記入力された顧客情報、眼球下転量および側方視量を含む装用状態パラメーターを前記メーカー側端末へ送信するデータ送信手段と、前記解析結果を前記メーカー側端末から取得し、この解析結果を出力させる解析結果処理手段と、を備えたことを特徴とする。
【０００９】
この発明では、店側端末とメーカー側端末とがネットワークで接続されていることにより、顧客の装用状態パラメーターを店側端末からメーカー側端末に送信し、メーカー側端末で受信した装用状態パラメーターに基づいた詳細なレンズ設計（解析）を行うことができる。特に、累進屈折力レンズについては、個々人に最適なレンズを提供することが難しいが、本発明では、累進屈折力レンズのレンズ設計に重要な眼球下転量および側方視量を含む装用状態パラメーターが店側端末からメーカー側端末へ送信される。したがって、メーカー側端末は、眼球下転量および側方視量を含む装用状態パラメーターに基づいて、顧客にとってより快適な眼鏡レンズを選択することができる。なお、眼鏡レンズの製品に関する情報は、予めプロファイル記憶手段に記憶されており、このプロファイル記憶手段に記憶された製品の中から選択することができる。
【００１０】
また、選択された眼鏡レンズの情報は、解析結果データとして店側端末に送信され、店側端末に出力される。すなわち、眼鏡店では、メーカー側に送った装用状態パラメーターに対する解析結果が送られてくる。端末がネットワークで接続されているので、これらの通信は短時間で行われ、迅速に解析結果を得ることができる。したがって、顧客に最適な眼鏡レンズを迅速に提示することができるとともに、レンズメーカーによる解析結果は顧客を納得させやすいため、コミュニケーションが向上する。
このように、眼鏡店、レンズメーカー、顧客との連携が容易となるため、顧客に対して幅広いサービスを提供することができる。
【００１１】
本発明の眼鏡レンズ選択システムにおいて、前記店側端末は、前記解析結果に基づいて前記選択された製品を装用した場合の装用者の見え方をシミュレートし、その結果を出力させるシミュレート手段をさらに備えたことが好ましい。
【００１２】
この発明によれば、眼鏡店を訪問した顧客に対して、装用状態パラメーターの解析結果とともに、この解析結果により選択された眼鏡レンズを装用した場合の装用者の見え方を提示することができる。したがって、顧客は、眼鏡レンズを正式に発注または製造する前に、メーカー側で最適とされた眼鏡レンズの見え方の確認を行うことができる。シミュレーションにより見え方に不便を感じる場合は別の眼鏡レンズを選択することもできるため、製造に無駄が発生しない。すなわち、眼鏡レンズを製造する前に、レンズメーカーと眼鏡店と顧客との連携が容易となり、顧客により最適な眼鏡レンズを提供することができる。
【００１３】
本発明の眼鏡レンズ選択方法は、眼鏡店等に設置された店側端末と、レンズメーカー側に設置されたメーカー側端末とがネットワークを介して接続された眼鏡レンズ選択システムで実施される眼鏡レンズ選択方法であって、前記メーカー側端末は、眼鏡レンズの製品の特性を表すプロファイルを製品ごとに関連付けて記憶するプロファイル記憶手段を備え、前記店側端末は、前記眼鏡装用者に関する顧客情報と、前記眼球下転量および側方視量を含む装用状態パラメーターとを入力させ、前記顧客情報と、前記眼球下転量および側方視量を含む装用状態パラメーターを前記メーカー側端末へ送信し、前記メーカー側端末は、前記店側端末から前記顧客情報および前記眼球下転量および側方視量を含む装用状態パラメーターを受信し、前記眼球下転量および側方視量を含む装用状態パラメーターに基づいて前記プロファイル記憶手段から最適な製品を選択し、前記選択された製品に関する情報を前記プロファイル記憶手段から取得し、解析結果として前記店側端末に送信することを特徴とする。
【００１４】
この発明では、店側端末とメーカー側端末とがネットワークで接続されていることにより、顧客の装用状態パラメーターを店側端末からメーカー側端末に送信し、メーカー側端末で受信した装用状態パラメーターに基づいた詳細なレンズ設計（解析）を行うことができる。特に、累進屈折力レンズについては、個々人に最適なレンズを提供することが難しいが、本発明では、累進屈折力レンズのレンズ設計に重要な眼球下転量および側方視量を含む装用状態パラメーターを店側端末からメーカー側端末へ送信する。したがって、メーカー側端末は、眼球下転量および側方視量を含む装用状態パラメーターに基づいて、顧客にとってより快適な眼鏡レンズを選択することができる。なお、眼鏡レンズの製品に関する情報は、プロファイル記憶手段に予め記憶されており、このプロファイル記憶手段に記憶された製品の中から選択することができる。
【００１５】
また、選択された眼鏡レンズは、解析結果データとして店側端末に送信され、店側端末に出力される。すなわち、眼鏡店では、メーカー側に送った装用状態パラメーターに対する解析結果が送られてくる。端末がネットワークで接続されているので、これらの通信は短時間で行われ、迅速に解析結果を得ることができる。したがって、顧客に最適な眼鏡レンズを迅速に提示することができるとともに、レンズメーカーによる解析結果は顧客を納得させやすいため、コミュニケーションが向上する。
このように、眼鏡店、レンズメーカー、顧客との連携が容易となるため、顧客に対して幅広いサービスを提供することができる。
【図面の簡単な説明】
【００１６】
【図１】本発明の一実施形態にかかる眼鏡レンズ選択システムで選択される累進屈折力レンズの概略図。
【図２】前記実施形態にかかる眼鏡レンズ選択システムを示す通信回線図。
【図３】前記実施形態にかかる眼鏡レンズ選択システムの全体構成を示すブロック図。
【図４】前記実施形態にかかる眼鏡レンズ選択システムの動作を示すフローチャート。
【図５】前記実施形態において店側端末の出力手段に表示される入力画面の概略図。
【図６】前記実施形態においてメーカー側端末が眼鏡レンズを選択する手順を示すフローチャート。
【図７】前記実施形態において店側端末の出力手段に表示される解析結果画面の概略図。
【図８】前記実施形態において店側端末の出力手段に表示される明視域シミュレーター画面の概略図。
【発明を実施するための形態】
【００１７】
以下、本発明の一実施形態を図面に基づいて説明する。本実施形態では、眼鏡レンズとして累進屈折力レンズを使用する。
［１．眼鏡レンズ］
【００１８】
眼鏡レンズ１０は、図１に示すように、上方に位置する遠用部領域１１と、下方に位置する近用部領域１２と、これら遠用部領域１１と近用部領域１２との間に位置する累進帯１３と、累進帯１３の側方に隣接した側方領域１４と、を有している。
【００１９】
遠用部領域１１は、遠方視するのに適した相対的にプラス度数の弱い平均度数を備えている。特に、装用者が遠方を正面視した場合に瞳中心を通る水平線（つまり視線）が通過する位置を遠用アイポイントＦＰとする。この遠用アイポイントＦＰは、眼鏡レンズの幾何学中心を鉛直上方向に伸ばした線と遠用アイポイントラインＦＬとの交点に位置する。
近用部領域１２は、近方視（例えば、読書）するのに適した相対的にプラス度数の強い平均度数を備えている。特に、装用者が近方視（下方視）した場合の視線が通過する位置を近用アイポイントＮＰとする。
【００２０】
累進帯１３は、遠用部領域１１と近用部領域１２との間で相対的なプラスの平均加入度数が累進的に変化する領域である。遠用アイポイントＦＰを通過して左右方向に延びる直線を遠用アイポイントラインＦＬとする。遠用アイポイントラインＦＬの上で遠用アイポイントＦＰから遠用部領域１１と側方領域１４との境界線までの距離を片側明視幅Ｆｗとする。
近用アイポイントＮＰを通過して左右方向に延びる直線を近用アイポイントラインＮＬとする。遠用アイポイントラインＦＬと近用アイポイントラインＮＬ間の距離（長さ）は眼球下転量Ｉｎｄｉｈである。
【００２１】
遠用部領域１１と累進帯１３との境界線から遠用アイポイントＦＰまでが遠用アイポイント高さＦｈである。遠用部領域１１と累進帯１３との境界線から累進帯１３と近用部領域１２との境界線までの長さ（距離）が累進帯長ＳＰｈである。
累進帯１３と近用部領域１２との境界線から近用部領域１２の光学中心ＮＣまでの長さ（距離）が近用部高さＮｈである。この近用部領域１２の光学中心ＮＣは近用部領域の光学設計をする際の光学中心である。
側方領域１４は、非点収差領域と呼ばれるエリアである。側方領域１４を通して見ると物が二重に見えたりするため、通常、装用者は側方領域１４を通して物を見ない。
【００２２】
眼鏡レンズ１０は、このような累進屈折力レンズを成形加工することにより得られ、得られた眼鏡レンズ１０はフレーム２０に装着されて眼鏡となる。
フレーム２０は、眼鏡レンズ１０を装着して枠状に取り囲むフレーム枠２１と、左右のフレーム枠２１を連結するブリッジ２２と、フレーム枠２１からヒンジを介して回動可能に取り付けられたテンプル（図示しない）とを備えている。フレーム枠２１は上辺部２１Ｕと下辺部２１Ｄと側辺部２１Ｓとを有する。これらの上辺部２１Ｕと下辺部２１Ｄとの間の距離が眼鏡レンズの玉型高さＢｈであり、遠用アイポイントＦＰからフレームの上辺部までの距離が上部フレーム高さＯｈである。フレーム枠２１の下辺部２１Ｄから近用アイポイントＮＰまでの距離が下部フレーム高さＵｈである。
また、遠用アイポイント高さＦｈ、累進帯長ＳＰｈ及び近用部高さＮｈの合計を合計長さｔｈとする。
【００２３】
［２．眼鏡レンズ選択システムの構成］
眼鏡レンズ選択システム１は、図２に示すように、レンズメーカーに設置されたメーカー側端末１００と、眼鏡店等に設置され、メーカー側端末１００にインターネット２を介して接続された複数の店側端末２００と、を備えている。眼鏡レンズ選択システム１は、眼鏡店等で測定された各種パラメーターを店側端末２００からメーカー側端末１００に送信し、メーカー側端末１００は受信した各種パラメーターを解析して最適なレンズを選択し、その結果を店側端末２００に送信するシステムである。
【００２４】
インターネット２はＴＣＰ／ＩＰ（Transmission Control Protocol/Internet Protocol）などのプロトコルに基づくネットワークであるが、これに限られない。例えば、ＬＡＮ（Local Area Network）やＷＡＮ（Wide Area Network）などのイントラネット、無線媒体により情報が送受信可能な複数の基地局がネットワークを構成する通信回線網や放送網などのネットワーク、さらには、データを直接受信するための媒体となる無線媒体自体など、データを送受信させるいずれの構成を利用できる。
【００２５】
［２−１．メーカー側端末の構成］
メーカー側端末１００は、演算処理手段、各種データが記憶される記憶手段、各種画面を出力させるディスプレイ等の出力手段、およびキーボードなどの入力手段を備えた端末装置であり、店側端末２００にネットワーク接続されている。メーカー側端末１００としては、例えばパーソナルコンピューターを使用することができる。
【００２６】
記憶手段としては、図３に示すように、店側端末２００から受信した各種の装用状態パラメーターが記憶される眼鏡情報記憶部１０１と、眼鏡レンズのプロファイルが製品ごとに予め記憶されたレンズタイププロファイル記憶部１０２と、を備えている。また、図示しないが、後述の演算処理手段が各種演算を実行するためのプログラム、すなわち装用状態パラメーターに基づいて演算処理を行った後、演算結果に基づいて最適な眼鏡レンズを選択する手順が記載されたプログラムが記憶された記憶部等も有している。
【００２７】
眼鏡情報記憶部１０１は、顧客と、顧客の眼鏡情報（レンズの処方データ、フレームデータ、フィッティングデータ等）と、が関連付けられて１つのレコードとして記憶されるテーブル構造となっている。眼鏡情報としては、例えば、球面度数、乱視度数、乱視軸、プリズム度数および基底方向、加入度、遠用ＰＤ等のレンズの処方データの他に、顧客が選択したフレームのメーカー名、フレーム種類、フレームの玉型幅、フレームの鼻幅、フレームの天地幅Ｂｈ等のフレームデータや、顧客が選択したフレームによる遠用アイポイントの高さ（遠用ＥＰ高）ＦＥＰｈ、装用距離、前傾角等のフィッティングデータ、眼球下転量Ｉｎｄｉｈ、側方視量、優位眼等が挙げられる。
【００２８】
レンズタイププロファイル記憶部１０２は、処方レンズ設計プロファイルが記憶されるものであり、レンズメーカーが提供する眼鏡レンズのプロファイルが製品ごとに記憶されている。
例えば、累進屈折力レンズには、遠近重視、中近重視、および近近重視の眼鏡レンズがある。さらに、これらの種類ごとに、遠用部領域１１の広いＡタイプ、中程度のＢタイプ、狭いＣタイプの３タイプがある。レンズタイププロファイル記憶部１０２には、これらの遠近重視、中近重視、および近近重視の種類ごとのＡタイプ、Ｂタイプ、Ｃタイプを設計するためのレンズ設計プログラムや基本情報が、各製品データとして記憶されている。
【００２９】
なお、Ａタイプの眼鏡レンズ１０は、遠用部領域１１が広いが、側方領域１４の収差が大きく、初めて累進屈折力眼鏡レンズを利用する装用者には向かない。Ｃタイプの眼鏡レンズ１０は、遠用部領域１１が狭く、側方領域１４の収差が小さいので、初めて累進屈折力眼鏡レンズを利用する装用者に向くものである。また、Ｂタイプの眼鏡レンズ１０は、遠用部領域１１が中程度で、ＡタイプとＣタイプとの中間である。
【００３０】
演算処理手段は、情報の演算および処理を行う演算処理装置（ＣＰＵ、Central Processing Unit）であり、メーカー側端末１００全体の制御を行う。演算処理手段は、記憶手段に記憶された各種プログラムを適宜読み出して実行することにより、上述のハードウェア（記憶手段、出力手段、入力手段）と協働し、各種機能を実現している。
演算処理手段としては、図３に示すように、店側端末２００と各種データを送受信する送受信部１１０と、受信した装用状態パラメーターに基づいて各種パラメーターを演算するパラメーター演算部１２０と、演算された各種パラメーターに基づいて適正な眼鏡レンズを選択するレンズ選択部１３０と、を備えている。なお、パラメーター演算部１２０およびレンズ選択部１３０が、本発明のレンズ選択手段として機能し、送受信部１１０が、本発明の解析結果送信手段の機能を有する。
送受信部１１０は、店側端末２００から送信される各種の装用状態パラメーターを受信し、パラメーター演算部１２０およびレンズ選択部１３０により選択された眼鏡レンズの解析結果データを店側端末２００に送信する。また、送受信部１１０は、店側端末２００から受信した各種の装用状態パラメーターを、眼鏡情報記憶部１０１に記憶させる。
【００３１】
パラメーター演算部１２０は、眼鏡情報記憶部１０１に記憶された装用状態パラメーターに基づいて、眼鏡レンズの選択に必要な各種パラメーターを演算する。
まず、受信した眼球下転量に基づいて累進帯長ＳＰｈを求める。
具体的には、店側端末２００から送信された各種データのうち、両眼のレンズ処方データに基づいて、側方領域１４の収差量が最も少ないレンズ設計タイプ（例えば、Ｃタイプ）の仕様範囲内の任意の累進帯長ＳＰｈでレンズプロファイルを生成する。
次に、生成したレンズプロファイルにおいて、眼鏡レンズの幾何学中心を鉛直上方向に延ばした線上に遠用アイポイントＦＰを仮設定し、両眼レンズの鼻側と耳側の４パラメーターに対して、遠用部領域１１の非点収差量が許容範囲内になるポイントまでの片側明視幅Ｆｗを各々求め、片側明視幅Fｗが側方視量と一致するときの遠用部領域１１の遠用アイポイント高さＦｈを４データ各々求め、更に、前記４データから、最も大きな遠用部領域１１の遠用アイポイント高さＦｈを求める。
【００３２】
次に、眼球下転量Ｉｎｄｉｈ、最も大きな遠用部領域１１の遠用アイポイント高さＦｈ、最も長い累進帯長ＳＰｈ、近用部領域１２の近用アイポイント高さＮｈ（図１参照）に基づいて、以下に示す（１）、（２）の式からΔＥを求める。なお、近用部領域のアイポイント高さＮｈは生成されたレンズプロファイルにおいて任意に決定する。
【００３３】
次に、該ΔＥを判別式（３）で判定する。ΔＥの判別結果が該判別式（３）の範囲内であれば、その時に用いたＳＰｈを最適な累進帯長として決定する。ΔＥの判別結果が該判別式（３）において、プラス側に超えた範囲外の場合は、前記任意の累進帯長ＳＰｈを長くしたレンズプロファイルを新たに生成し、前記ΔＥが判別式（３）に収束するまで繰り返す。また、ΔＥの判別結果が該判別式（３）において、マイナス側に超えた範囲外の場合は、前記任意の累進帯長ＳＰｈを短くしたレンズプロファイルを新たに生成し、同様に、前記ΔＥが判別式（３）に収束するまで繰り返す。なお、前記判別式（３）において、全てが収束しない場合は、２番目に側方領域１４の収差量が少ないレンズ設計タイプ（例えば、Ｂタイプ）に変更し、同様の処理を繰り返す。
ここで、判別式（３）の範囲を０≦ΔＥ≦２としたが、これに限定されない。また、遠用部領域１１の遠用アイポイント高さＦｈの求め方において、前記４データの中から最も長い遠用部領域１１の遠用アイポイント高さＦｈを判別式に利用したが、これに限定されない。例えば、優位眼に用いるためのレンズプロファイルの中から最も大きな遠用部領域１１の遠用アイポイント高さＦｈを利用しても良い。
【００３４】
次に、顧客が選択したフレームに対する遠用部領域１１の上部フレーム高さＯｈの適否を判定する。該フレームの遠用部領域１１の上部フレーム高さＯｈは、店側端末２００から送信された各種データのうち、顧客が選択したフレームの天地幅（眼鏡レンズの玉型高さＢｈ）、顧客が選択したフレームに対する遠用アイポイントの高さＦＥＰｈを用いて、以下に示す（４）の式から求められる。次に、該Ｏｈを判別式（５）で判定する。判定結果が判別式（５）に適合すれば、顧客が選択したフレーム天地幅Ｂｈで決定する。判定結果が判別式（５）に不適合であれば、顧客が選択したフレーム天地幅Ｂｈの不足量ΔOｈを以下の式（６）から求める。式（６）において、Ｏｈ_rは、遠用部領域１１が有効視野領域をカバーするために必要な値であり、例えば９ｍｍである。
【００３５】
なお、判別式（５）の範囲を９≦Ｏｈとしたが、この範囲に限定されない。人の有効視野（視覚情報を有効利用している範囲）は、一般的に２０°以内とされている（眼鏡の科学、１９７７）ことから、この研究結果に基づいて理想的な眼鏡装用状態（眼鏡装用距離１２ｍｍ）を科学的根拠として示したものである。これらの条件に基づいて計算すると、９≦Ｏｈであればレンズの遠用部は有効視野をカバーできる。しかしながら、実際には、顔の構造等で眼鏡装用距離は様々であり、この値に限定されない。
ΔＯｈに基づいて、顧客が選択したフレームでは遠用部の有効範囲が理想値を下回ることを眼鏡店へ連絡してもよい。
【００３６】
ｔｈ＝Ｆｈ＋ＳＰｈ＋Ｎｈ      （１）
ΔＥ＝Ｉｎｄｉｈ-ｔｈ         （２）
０≦ΔＥ≦２                  （３）
Ｏｈ＝Ｂｈ−ＦＥＰｈ          （４）
９≦Ｏｈ                      （５）
ΔOh＝Ｏｈ−Ｏｈ_r            （６）
【００３７】
レンズ選択部１３０は、パラメーター演算部１２０の演算により得られた各種パラメーター（ΔＥ）と、遠用アイポイント高さＦｈと、レンズタイププロファイル記憶部１０２に予め記憶された各製品の基本情報と、に基づいて、レンズタイププロファイル記憶部１０２の中から最適な製品を選択する。
ここで、累進屈折力レンズを用いた眼鏡レンズには、遠近重視、中近重視、近近重視の３種類があり、これらの違いは、側方視量の長さである。すなわち、遠近重視の眼鏡レンズは遠方の景色と近方の書類との双方を見るために使用するものであり、例えば、側方視量は６ｍｍより大きい。また、中近重視の眼鏡レンズは中距離の景色と近方の書類との双方を見るために使用するものであり、例えば、側方視量は４．５ｍｍより大きく６ｍｍ以下である。さらに、近近重視の眼鏡レンズはそれぞれ近方に位置するデスク上の書類と手元の書類との双方を見るために使用するものであり、例えば、側方視量は３．７５ｍｍより大きく４．５ｍｍ以下である。これらの３種類の眼鏡レンズごとに複数の設計タイプ（Ａ，Ｂ，Ｃタイプ）があるので、レンズ選択部１３０は、眼鏡レンズの設計タイプのＡ、Ｂ、Ｃ、または他のレンズのいずれかを選択する。
【００３８】
眼鏡レンズの設計タイプを選択する具体的な方法は、眼鏡レンズの種類ごとの遠用アイポイント高さＦｈの値に応じて、それぞれ０ｍｍ≦ΔＥ≦２ｍｍ、かつ、９ｍｍ≦Ｏｈの条件を満たすか否かを判定する。つまり、片側明視幅Ｆｗが６ｍｍより大きい遠近重視の眼鏡レンズでは、４ｍｍ＜Ｆｈ、３ｍｍ＜Ｆｈ≦４ｍｍ及び１ｍｍ≦Ｆｈ≦３ｍｍの場合において、それぞれ０ｍｍ≦ΔＥ≦２ｍｍ、かつ、９ｍｍ≦Ｏｈの条件を満たすか否かを判定し、片側明視幅Ｆｗが６ｍｍ以下かつ４．５ｍｍより大きい中近重視の眼鏡レンズでは、３ｍｍ＜Ｆｈ、２．５ｍｍ＜Ｆｈ≦３ｍｍ及び０．８ｍｍ≦Ｆｈ≦２．５ｍｍの場合において、それぞれ０ｍｍ≦ΔＥ≦２ｍｍ、かつ、９ｍｍ≦Ｏｈの条件を満たすか否かを判定し、片側明視幅Ｆｗが３．７５ｍｍ以上かつ４．５ｍｍ以下の近近重視の眼鏡レンズでは、２．５ｍｍ＜Ｆｈ、２ｍｍ＜Ｆｈ≦２．５ｍｍ及び０．５ｍｍ≦Ｆｈ≦２ｍｍの場合において、それぞれ０ｍｍ≦ΔＥ≦２ｍｍ、かつ、９ｍｍ≦Ｏｈの条件を満たすか否かを判定する。
【００３９】
また、眼鏡レンズには、個々人の各種パラメーターに適合するように様々な加工が施される。したがって、レンズ選択部１３０は、選択された製品に対して、個々人の各種パラメーターに適合するような加工を施すための加工データを生成する。加工データとしては、例えば、商品名、レンズタイプ、フレームＰＤ，ＰＤ（Ｒ）、ＰＤ（Ｌ）、LＦＰ高、レンズのコバ厚、レンズ中心厚、レンズ外径、レンズのベースカーブ、レンズメータ測定度数（球面度数、乱視度数、乱視軸、プリズム度数および基底方向、加入度数）、レンズのカラー度数がある。
なお、ＬＦＰ高は、レンズをフレームに枠入れする際の、フレームとレンズの相対的な高さを示すものであり、レンズ上に枠入れ基準点を定め、フレーム上に基準位置を定め、レンズの枠入れ基準点とフレームの基準位置との距離で表すことができる。枠入れ基準点にはレンズ上の任意の点を用いる事ができ、多くの場合、累進開始点や、レンズの幾何学中心が用いられている。また、フレーム上の基準位置にはフレームの上端や下端等が用いられる。レンズ上の枠入れ基準点やフレーム上の基準位置は、レンズメーカーと枠入れを行う者とが取り決めればよく、この限りではない。
本実施形態では、選択されたレンズの設計タイプによって、レンズの枠入れ基準点とフレームの基準位置との距離が変わってしまう場合がある。例えば、枠入れ基準点を累進開始点に、フレームの基準位置をフレームの下端に定めた場合である。この場合、ＬＦＰ高は顧客が選択したフレームに対する遠用アイポイントの高さＦＥＰｈから眼鏡レンズの遠用アイポイント高さＦｈを引いた値となる。
選択された設計タイプでのＬＦＰ高を加工データに加えることで、レンズ１０のフレー２０ムへの枠入れを正しく行う事ができる。
【００４０】
［２−２．店側端末の構成］
店側端末２００は、演算処理手段、各種データが記憶される記憶手段、各種画面を出力させるディスプレイ等の出力部２１０、およびキーボードなどの入力部２２０を備えた端末装置であり、メーカー側端末１００にネットワーク接続されている。店側端末２００としては、例えばパーソナルコンピューターを使用することができる。
【００４１】
記憶手段には、入力された各種データや、メーカー側端末から受信した解析結果データ等が記憶されている。また、眼鏡レンズの装用状態パラメーターを入力させてメーカー側端末１００に送信する処理やメーカー側端末１００から受信した解析結果データを表示する解析プログラム、解析結果データに基づいて明視域をシミュレートする処理が記述された明視域プログラム等が記憶されている。さらに、画面表示するための各種フォーム等も記憶されている。
【００４２】
演算処理手段は、情報の演算および処理を行う演算処理装置（ＣＰＵ、Central Processing Unit）であり、店側端末２００全体の制御を行う。演算処理手段は、記憶手段に記憶された各種プログラムを適宜読み出して実行することにより、上述のハードウェア（記憶手段、出力部２１０、入力部２２０）と協働し、各種機能を実現している。
演算処理手段としては、図３に示すように、メーカー側端末１００と各種データを送受信する送受信部２３０と、解析結果処理部２４０と、シミュレート部２５０と、を備えている。
【００４３】
送受信部２３０は、入力部２２０で入力された入力情報をメーカー側端末１００に送信し、メーカー側端末１００から送信される解析結果データを受信する。
解析結果処理部２４０は、記憶手段に記憶された解析プログラムを読み出して実行する。具体的には、送受信部２３０で受信した解析結果データを用いて、図７に示す解析結果画面４を作成し、ディスプレイなどの出力部２１０に画面表示させる。
シミュレート部２５０は、記憶手段に記憶された明視域プログラムを読み出して実行する。具体的には、解析データに基づいて、選択された眼鏡レンズをかけて見た場合の明視域をシミュレートし、図８に示す明視域シミュレーター画面５を作成し、ディスプレイなどの出力部２１０に画面表示させる。
【００４４】
［３．眼鏡レンズ選択システムの動作］
次に、眼鏡レンズ選択システム１の動作を、図４に示すフローチャートに基づいて説明する。
【００４５】
［３−１．装用状態パラメーターの測定方法］
眼鏡レンズ選択システム１を動作させる前に、眼鏡店では個々人の眼鏡の装用状態パラメーターを測定する。測定方法は特に限定されず、一般的に使用されている測定装置および測定方法により測定すればよい。
例えば、装用者が実際に装用する眼鏡フレームを装用し、遠方視したときと近方視したときの装用者の正面および側面をデジタルカメラ等で撮影し、撮影した撮像画像を解析することにより、各種の装用状態パラメーターを測定することができる。
【００４６】
［３−２．眼鏡レンズ選択システムの動作］
装用状態パラメーターの測定が終了すると、眼鏡店の店員は、店側端末２００の入力部２２０を操作して、出力部２１０に顧客情報入力画面を表示させる。顧客情報入力画面では、顧客の氏名、年齢、性別、店舗名等の基本情報が入力可能とされており、店員は顧客情報入力画面にしたがって情報を入力する（Ｓ１１）。
【００４７】
次に、眼鏡情報（当該顧客のフレームデータ、フィッティングデータ、および検眼により得られる処方データ）を入力可能な入力画面を表示させる。図５に示すように、入力画面３では、処方データとして、左右の球面度数（Ｓ、単位：Ｄ）、左右の乱視度数（Ｃ、単位：Ｄ）、左右の乱視軸の角度（Ａｘ、単位：°）、左右のプリズムの基底方向、遠用視の瞳孔間距離（遠用ＰＤ，単位：ｍｍ）、加入度（単位：Ｄ）等が入力可能である。また、フレームデータとして、眼鏡フレームのメーカー名、種類（製品名）、玉型幅（単位：ｍｍ）、鼻幅（単位：ｍｍ）、天地幅（単位：ｍｍ）、テンプル長（単位：ｍｍ）等が入力可能となっている。また、フィッティングデータとして、装用距離（単位：ｍｍ）、前傾角（単位：°）、眼球下転量（単位：ｍｍ）、側方視量（単位：ｍｍ）、遠用ＥＰ高（単位：ｍｍ）、優位眼（左または右）等が入力可能である。なお、遠用ＥＰ（アイポイント）は、遠用ＥＰのレンズの下辺からの距離である。また、眼鏡レンズの使用目的に応じて、遠近重視、中近重視、近近重視を選択することも可能である。遠近重視の場合は近用目的距離（単位：ｃｍ）を入力し、中近重視または近近重視の場合は遠用目的距離（単位：ｃｍ）と近用目的距離（単位：ｃｍ）とを入力することができる。
【００４８】
このような入力画面３にしたがって、検眼により得られた処方データ、顧客が選択したフレームデータ、および測定によって得られたフィッティングデータ（装用状態パラメーター）を入力する（Ｓ１２）。
【００４９】
入力画面３に各種データを入力した後、入力部２２０を操作して図示しない送信ボタン３１を押下すると、送受信部２３０により、Ｓ１１およびＳ１２で入力した顧客情報および眼鏡情報がメーカー側端末１００へ送信される（Ｓ１３）。
【００５０】
メーカー側端末１００は、店側端末２００から送信された顧客情報および眼鏡情報を、送受信部１１０により受信する（Ｓ２１）。また、送受信部１１０は、受信した顧客情報および眼鏡情報を眼鏡情報記憶部１０１に記憶させる。
【００５１】
次に、パラメーター演算部１２０は、受信した眼鏡情報のうち眼球下転量Ｉｎｄｉｈに基づいて累進帯長ＳＰｈを求める。また、眼球下転量Ｉｎｄｉｈ、遠用アイポイント高さＦｈ、累進帯長ＳＰｈ及び近用部高さＮｈに基づいて、上述の式（１）（２）によりΔＥを演算する。また、顧客が選択したフレームの天地幅Ｂｈと、顧客が選択したフレームに対する遠用アイポイントの高さＦＥＰｈとに基づいて、上述の式（４）により、顧客が選択したフレームにおける上部フレーム高さＯｈを演算する。更に、上部フレーム高さＯｈと予め定められたＯｈ_ｒとに基づいて、上述の式（６）により、ΔＯｈを演算する（Ｓ２２）。
【００５２】
次に、レンズ選択部１３０は、Ｓ２２の演算結果に基づいて最適な眼鏡レンズを選択する（Ｓ２３）。眼鏡レンズには、遠近重視、中近重視、近近重視の種類があり、さらにこれらの種類ごとに複数の設計タイプの製品がある。選択手順としては、まず、遠近重視、中近重視、近近重視のうちいずれかの眼鏡レンズを選択し、さらにその種類の中で最適な設計タイプと累進帯長を選択する。
【００５３】
眼鏡レンズの種類は、装用者の側方視量に基づいて選択することができる。例えば、側方視量が広い（例えば、６ｍｍ以上）人には遠近重視の眼鏡レンズを適用し、側方視量が中程度の人には中近重視の眼鏡レンズを適用し、側方視量が狭い人には近近重視の眼鏡レンズを適用する。また、装用者の使用目的などを考慮して選択してもよい。
設計タイプは、ΔＥ、および遠用部領域１１のアイポイント高さＦｈに基づいて以下の判定により最適な設計タイプを選択する。また、顧客が選択したフレームの上部フレーム高さＯｈは、顧客が選択したフレームの天地幅Ｂｈと、顧客が選択したフレームによる遠用アイポイントの高さＦＥＰｈとに基づいて、以下の判定により、フレーム天地幅の適否と不足量を求める。設計タイプの具体的な選択方法を、図６に示すフローチャートに基づいて説明する。図６は、遠近重視の眼鏡レンズに対するフローチャートである。遠近重視のほかにも、中近重視、近近重視の眼鏡レンズがあり、各工程の判定基準は異なるが、本実施形態では、遠近重視の眼鏡レンズについて説明する。
【００５４】
レンズ選択部１３０は、４ｍｍ＜Ｆｈ、０ｍｍ≦ΔＥ≦２ｍｍ、９ｍｍ≦Ｏｈの条件を満たすか否かを判定し（Ｓ２３１）、条件を満たす場合にはＣタイプの眼鏡レンズを選択し（Ｓ２３２）、条件を満たさない場合にはＢタイプのレンズが条件を満たすか否かを判定する（Ｓ２３３）。Ｂタイプのレンズの選択条件は、３ｍｍ＜Ｆｈ≦４ｍｍ、０ｍｍ≦ΔＥ≦２ｍｍ、９ｍｍ≦Ｏｈであり、これらの条件を満たす場合にはＢタイプの眼鏡レンズを選択し（Ｓ２３４）、条件を満たさない場合にはＡタイプのレンズが条件を満たすか否かを判定する（Ｓ２３５）。Ａタイプのレンズの選択条件は、１ｍｍ≦Ｆｈ≦３ｍｍ、０ｍｍ≦ΔＥ≦２ｍｍ、９ｍｍ≦Ｏｈであり、これらの条件を満たす場合にはＡタイプの眼鏡レンズを選択し（Ｓ２３６）、条件を満たさない場合にはＡからＣタイプ以外の他のレンズを選択する（Ｓ２３７）。
【００５５】
また、レンズ選択部１３０は、選択された眼鏡レンズおよび設計タイプに関する製品情報を眼鏡情報記憶部１０１から取得し、取得した製品情報に対する加工データを生成する（Ｓ２４）。加工データは、取得した製品の各種パラメーターが受信した装用状態パラメーターと適合するように適宜調整される。
【００５６】
そして、送受信部１１０は、選択された眼鏡レンズおよび設計タイプに関する製品情報と当該眼鏡レンズに対する加工データとを合わせて解析結果データとして店側端末２００に送信する（Ｓ２５）。
【００５７】
店側端末２００は、メーカー側端末１００から送信された解析結果データを送受信部２３０により受信する（Ｓ１４）。
そして、解析結果処理部２４０は、受信した解析結果データを用いて図７に示す解析結果画面４を作成し、出力部２１０に画面表示させる（Ｓ１５）。解析結果画面４は、Ｓ１２において入力画面３に入力した項目が表示された入力項目表示部４１と、メーカー側端末１００から受信した解析結果が表示された解析結果表示部４２と、で構成されている。解析結果表示部４２には、当該顧客に最適な眼鏡レンズの製品情報が表示される。具体的な製品情報としては、製品名、レンズタイプ、累進帯長であり、加工データを同時に受信した場合には、フレームＰＤ、ＰＤ（Ｒ）、ＰＤ（Ｌ）、ＬＦＰ高の値が表示される。また、製品情報は、複数の候補が表示可能とされ、各ボタンにより表示を切り替えることができる。
【００５８】
次に、入力部２２０を操作して、解析結果画面４の明視域シミュレーターボタン４３を押下すると、シミュレート部２５０は、解析結果データを用いて図８に示す明視域シミュレーター画面５を作成し、出力部２１０に画面表示する（Ｓ１６）。明視域とは、はっきりと見える範囲であり、図８に示す明視域シミュレーター画面５では、解析結果により選択された眼鏡レンズを装用した際の明視域をシミュレートする。なお、加工データがある場合は、選択された製品に加工が施された状態の眼鏡レンズに対してシミュレートする。
【００５９】
［４．本実施形態の作用効果］
上述した実施形態では、以下に示す作用効果を奏することができる。
眼鏡店の店員は、顧客の装用状態パラメーターを測定した後、眼鏡レンズ選択システム１を利用する。すなわち、眼鏡レンズ選択システム１は、眼鏡店の店員の入力部２２０の操作によって店側端末２００に入力された顧客の装用状態パラメーターを、送受信部２３０がメーカー側端末１００に送信する。なお、装用状態パラメーターには、検眼処方データ、フレームデータ、フィッティングデータがあり、フィッティングデータには眼球下転量および側方視量が含まれている。そして、メーカー側端末１００では、送受信部１１０が装用状態パラメーターを受信し、パラメーター演算部１２０がこの装用状態パラメーターを用いて解析（演算）し、レンズ選択部１３０が当該顧客に最適な眼鏡レンズの製品を選択する。そして、送受信部１１０により解析結果データ（選択された製品の基本情報）が店側端末２００に送信される。店側端末２００は、受信した解析結果データを出力部２１０に画面表示させるとともに、この解析結果データに基づいて行う明視域シミュレーターを顧客に提示する。
【００６０】
累進屈折力レンズの最適化を行うためには、眼球下転量および側方視量が重要となる。上述の実施形態では、店側端末２００から眼球下転量および側方視量が送信されるため、メーカー側端末１００は、眼球下転量から累進帯長を求めることができ、側方視量により遠用部領域１１の広さを求めることができる。したがって、これらのパラメーターと、レンズメーカーが所有する製品情報と、に基づいて、顧客に最適な製品を選択することができる。
【００６１】
また、メーカー側端末１００で選択された眼鏡レンズの製品情報は、店側端末２００に送信され、店側端末２００の出力部２１０に表示される。このため、眼鏡店では、顧客にとってより快適な眼鏡レンズの情報を迅速に提供することができる。レンズメーカー（メーカー側端末１００）により解析され、解析結果に基づいて選択された眼鏡レンズは、顧客を納得させやすく、コミュニケーションの向上を図ることができる。
特に、シミュレート部２５０は、解析により選択された眼鏡レンズを装用した場合の明視域をシミュレートして顧客に提示するので、顧客は眼鏡レンズを作製する前に見え方等を簡単に確認することができる。
このように、レンズメーカーと眼鏡店との連携が容易となるため、顧客に幅広いサービスを提供することができる。
【００６２】
［５．変形例］
なお、本発明は、上述した実施形態に限定されるものではなく、本発明の目的を達成できる範囲で、以下に示される変形をも含むものである。
例えば、上述の実施形態では、累進屈折力レンズの最適化について説明したが、単焦点レンズや他の機能レンズ等に必要なパラメーターを店側端末２００から送信することで、これらのレンズの最適化も実施することができる。
【００６３】
また、上述の実施形態では、装用状態パラメーターの測定方法を装用者の正面と側面の撮像画像を解析することで求めるとしたが、測定方法はこれに限られない。例えば、眼球運動測定装置により装用者の眼球運動経路を分析する方法など、その他の方法を利用してもよい。
さらに、パラメーター演算部１２０による各種パラメーターの演算およびレンズ選択部１３０による眼鏡レンズの選択手順は、上述の実施形態に限られない。各種パラメーターに基づいて最適な眼鏡レンズを選択できる方法であればよい。
【符号の説明】
【００６４】
１…眼鏡レンズ選択システム、２…インターネット、１００…メーカー側端末、１０１…眼鏡情報記憶部、１０２…レンズタイププロファイル記憶部、１１０…送受信部、１２０…パラメーター演算部、１３０…レンズ選択部、２００…店側端末、２１０…出力部、２２０…入力部、２３０…送受信部、２４０…解析結果処理部、２５０…シミュレート部。
【図１】
2011227173.tif 000003
【図２】
2011227173.tif 000004
【図３】
2011227173.tif 000005
【図４】
2011227173.tif 000006
【図５】
2011227173.tif 000007
【図６】
2011227173.tif 000008
【図７】
2011227173.tif 000009
【図８】
2011227173.tif 000010